(57)【要約】【課題】危険箇所での安全作業指示、無資格者の作業中止指示、作業者制約条件による作業中止指示等を作業者に与えて常に安全を意識させて、安全作業を喚起させるようにした安全作業管理サポートシステムを提供すること。【解決手段】各作業者の個人情報を予め入力した携行可能なＲＦＩＤタグ１と、このＲＦＩＤタグ１のもつ個人ＩＤとコントローラ側がもつ設備ＩＤとをＲＦＩＤタグ１との間で交信し、かつ適正な安全作業指示を音声にて与えるようにしたコントローラ（ＣＴＬ）２と、音声にて安全作業方法等の指示を与えるようにした音声出力装置とより構成する。【選択図】図１
2006139380.tif 000002
【特許請求の範囲】
【請求項１】
各作業者の個人情報を予め入力した携行可能なＲＦＩＤタグと、このＲＦＩＤタグのもつ個人ＩＤとコントローラ側がもつ設備ＩＤとをＲＦＩＤタグとの間で交信し、かつ適正な安全作業指示を音声にて与えるようにしたコントローラと、音声にて安全作業方法の指示を与えるようにした音声出力装置とより構成したことを特徴とする安全作業管理サポートシステム。
【請求項２】
ＲＦＩＤタグに、作業者の個人情報として所属名、氏名、年齢、有資格を記憶したことを特徴とする請求項１記載の安全作業管理サポートシステム。
【請求項３】
ＲＦＩＤタグに、音声停止指示を与えるスイッチを配設したことを特徴とする請求項１又は２記載の安全作業管理サポートシステム。
【請求項４】
コントローラに、ＲＦＩＤタグからの音声停止指示信号にてその来歴を記録する回路を組み込むように構成したことを特徴とする請求項１記載の安全作業管理サポートシステム。
【請求項５】
コントローラに、音声出力装置を組み込むようにしたことを特徴とする請求項１又は４記載の安全作業管理サポートシステム。
【発明の詳細な説明】
【技術分野】
【０００１】
本発明は、安全作業管理サポートシステムに関し、特に、作業者に対して危険箇所での安全作業指示、無資格者の作業中止指示、作業者制約条件による作業中止指示等を与えて常に安全を意識して作業を行うよう作業者を喚起するための安全作業管理サポートシステムに関するものである。
【背景技術】
【０００２】
従来、生産工場、建設工事現場等において多くの危険箇所があり、かつそのような危険箇所で安全に作業をする場合、例えば、建設工事現場においては、危険箇所などには作業者に予め危険を喚起するための標識を立てたり、或いは危険区域を示す安全柵を設置したりして、安全に作業を行えるようにしている。
【０００３】
ところで、建設工事現場等における危険箇所に、危険標識や安全柵が設置されていても、必ずしも全作業者がこの危険標識や安全柵に注意を喚起することは何も保証されることがなく、また作業者はこのような危険標識や安全柵が設置されていても、作業能率等を考えて安全柵を無視した作業を行うことがしばしばある。
【０００４】
しかしながら、この危険標識や安全柵は、安全作業を行えるよう設置されているが、これはすべての作業者が認識することによって初めて有効な手段となるもので、作業者自身がこれを無視するような場合、有効に作用するものとはならず、また事故が発生した後においては、作業者自身がこの安全標識を認識したり、確認していたかどうかを識別することができず、事故が発生するとその管理責任がしばしば問題になるが、その責任がどちらにあるかを後日では検知することができないという問題があった。
【発明の開示】
【発明が解決しようとする課題】
【０００５】
本発明は、上記従来の危険箇所などでの作業管理の有する問題点に鑑み、危険箇所での安全作業指示、無資格者の作業中止指示、作業者制約条件による作業中止指示等を作業者に与えて常に安全を意識させて、安全作業を喚起させるようにした安全作業管理サポートシステムを提供することを目的とする。
【課題を解決するための手段】
【０００６】
上記目的を達成するため、本発明の安全作業管理サポートシステムは、各作業者の個人情報を予め入力した携行可能なＲＦＩＤタグと、このＲＦＩＤタグのもつ個人ＩＤとコントローラ側がもつ設備ＩＤとをＲＦＩＤタグとの間で交信し、かつ適正な安全作業指示を音声にて与えるようにしたコントローラと、音声にて安全作業方法の指示を与えるようにした音声出力装置とより構成したことを特徴とする。
【０００７】
この場合において、ＲＦＩＤタグに、作業者の個人情報として所属名、氏名、年齢、有資格を記憶することができる。
【０００８】
また、ＲＦＩＤタグに、音声停止指示を与えるスイッチを配設することができる。
【０００９】
また、コントローラに、ＲＦＩＤタグからの音声停止指示信号にてその来歴を記録する回路を組み込むことができる。
【００１０】
また、コントローラに、音声出力装置を組み込むようにすることができる。
【発明の効果】
【００１１】
本発明の安全作業管理サポートシステムによれば、各作業者の個人情報を予め入力した携行可能なＲＦＩＤタグと、このＲＦＩＤタグのもつ個人ＩＤとコントローラ側がもつ設備ＩＤとをＲＦＩＤタグとの間で交信し、かつ適正な安全作業指示を音声にて与えるようにしたコントローラと、音声にて安全作業方法の指示を与えるようにした音声出力装置とより構成することにより、作業者が危険区域に近づくと自動的に適正な安全作業指示を音声にて与えるため、各作業者に安全作業を強制的に喚起させ、安全作業がより一層確実に履行することができる。
【００１２】
また、ＲＦＩＤタグに、作業者の個人情報として所属名、氏名、年齢、有資格を記憶することにより、従事する作業内容によっては、年少者、高齢者、無資格者等に対し、その作業を予め制限することができるので、簡単な方法で作業の安全性を向上させることができる。
【００１３】
また、ＲＦＩＤタグに、音声停止指示を与えるスイッチを配設することにより、各作業者が音声による安全が喚起させられ、確認した後はスイッチを押すことで音声が停止するため作業者は静かに作業を行うことができる。
【００１４】
また、コントローラに、ＲＦＩＤタグからの音声停止指示信号にてその来歴を記録する回路を組み込むようにすることにより、事故などが発生した場合、作業者が事前に安全性を確認していたか否かを、事故後においても容易に識別することができ、事故等の原因追及が容易に行うことができる。
【００１５】
また、コントローラに、音声出力装置を組み込むようにすることにより、コントローラを小型化することができる。
【発明を実施するための最良の形態】
【００１６】
以下、本発明の安全作業管理サポートシステムの実施の形態を、図面に基づいて説明する。
【実施例１】
【００１７】
図１〜図２に、本発明の安全作業管理サポートシステムの一実施例を示す。
この安全作業管理サポートシステムは、各作業者の個人情報を予め入力した携行可能なＲＦＩＤタグ１と、このＲＦＩＤタグ１のもつ個人ＩＤとコントローラ側がもつ設備ＩＤとをＲＦＩＤタグ１との間で交信し、かつ適正な安全作業指示を音声にて与えるようにしたコントローラ（ＣＴＬ）２と、音声にて安全作業方法等の指示を与えるようにした音声出力装置とより構成する。
これにより、作業者Ｍが作業場所Ｗの危険区域Ｄ、特に限定されるものではないが、例えば、開口部に近づくと自動的に適正な安全作業指示を音声にて与えられ、この音声にて各作業者Ｍは安全作業を強制的に喚起させられ、作業がより安全に、確実に行えるようにすることができる。
【００１８】
ＲＦＩＤタグ１には、個人ＩＤ（個人情報）、特に限定されるものではないが、例えば、氏名、所属部署、年齢、有資格などを予め入力されており、これを作業者Ｍが作業に支障を与えないように所持する場合、名札やバッチの如く形成して胸に装着するか、首から吊り下げる等、人が携行しやすい大きさ、形状とようにし、かつコントローラ側からの発光赤外線を受光できるように構成し、このＲＦＩＤタグ１とコントローラ２間の送受信は、受光フォトダイオードとアンテナにより、光と無線信号（ＲＦＩＤ）とにて行うようにする。
【００１９】
このＲＦＩＤタグ１は、特に限定されるものではないが、例えば、１つのバッチケース内に、発光赤外線を受光できるようにした受光フォトダイオード１１と、この受光フォトダイオード１１にて受光した光信号を個人ＩＤに変換するようにした受信回路（図示省略）と、この個人ＩＤと設備ＩＤ（固有ＩＤ）を合成するようにしたＩＤ合成回路（図示省略）と、合成ＩＤを電波、例えば、無線信号に合成する発信回路（図示省略）と、この無線信号を発信するアンテナ１２と、音声停止指示を与えるスイッチ１３とより構成することができる。
このＲＦＩＤタグ１とコントローラ２間の送受信を光で行う場合は、コントローラ側の赤外線発光器２１から発光される赤外線を、ＲＦＩＤタグ１の受光フォトダイオード１１にて受光するようにし、また送受信を無線信号で行う場合、ＲＦＩＤ（Radio Frequency Identification（電波方式認識））にて行うことができ、アンテナ１２，２２を介して無線通信によりＲＦＩＤタグ１側からのデータをコントローラ２に収集し、認証できるようにする。
【００２０】
コントローラ２は、図示省略したが、一般にＲＦＩＤとして使用されている構成を採用し、特に限定されるものではないが、例えば、個人ＩＤ生成回路及び認証判定回路からなる計算機ＣＰＵ（図示省略）と、外部Ｉ／Ｏ制御回路（図示省略）と、前記個人ＩＤ生成回路にて形成された個人ＩＤの信号を光信号に変換するようにして個人ＩＤ生成回路に接続する光信号変換回路（図示省略）と、ＲＦＩＤタグ１からの設備ＩＤと個人ＩＤをキーにデータベースから認証結果を取得するよう認証判定回路に接続した認証用データベース（図示省略）と、認証判定回路と外部Ｉ／Ｏ制御回路の間に接続し、かつ音声出力装置を制御するようにした制御回路（図示省略）とから構成する。
【００２１】
また、コントローラ２に音声出力装置（図示省略）を組み込むことができる。この音声出力装置は、作業者Ｍに注意を喚起するようにするもので、特に限定されるものではないが、例えば、危険箇所での安全作業指示、無資格者の作業中止指示、作業者制約条件による作業中止指示等を予め録音しておき、コントローラ２の制御回路により、適正な音声をＲＦＩＤタグ１の音声停止指示を与えるスイッチ１３を作動するまで繰り返して発するようにする。
【００２２】
なお、音声出力装置に予め録音する危険箇所での安全作業指示としての音声は、開口部や高所から落下する虞がある場合に、安全帯を使用する指示（「安全帯を使用して作業を開始してください。」）、昇降時ではロリップ使用指示、３点支持昇降指示、脚立使用時には適正使用指示やずれ止め結束指示、スライド梯子使用時には上部結束指示やずれ止め結束指示、酸素欠乏危険箇所或いは硫化水素の危険がある場合には安全危険指示、電動鋸等の動工具使用時には使用前点検指示など、数種類の音声出力パターンを登録設定することができる。
また、クレーン運転、フォークリスト運転、有資格危険箇所作業などにおける無資格者の作業中止指示としては、特に限定されるものではないが、例えば、「作業資格がありません。直ちに作業を停止してください。」との音声出力パターンを登録設定することができる。
年少者、高齢者、健康診断結果に基づく就業制限者等の作業者等に対する制約条件による作業中止指示として、「作業資格がありません。直ちに作業を停止してください。」との音声出力パターンを登録設定することができる。
このように、音声出力は数種類を予め登録しておき、設置場所によって音声出力Ｎｏを選択し、適切な音声を出力するようにする。
【００２３】
次に、本発明の安全作業管理サポートシステムを、危険箇所に設置した場合の作用について説明する。
作業者Ｍが、図１に示すように、作業場所Ｗの危険区域（開口部）Ｄにて作業する場合、ＲＦＩＤタグ１を持った作業者Ｍが作業場所Ｗの危険区域（開口部）Ｄに設定された位置、例えば、赤外線通信可能な位置まで接近すると、該危険区域Ｄに配設されたコントローラ２と、作業者が携行しているＲＦＩＤタグ１との間にて、光と無線により情報の交換を行ってコントローラ２の音声出力装置から適正な音声、例えば、「安全帯を使用して作業を開始してください。」との音声が発せられ、これにより危険区域Ｄに接近した作業者Ｍに音声により安全が喚起される。
【００２４】
そして、この作業者Ｍが音声により与えられた指示にて安全作業を喚起し、かつその指示内容を承知或いは確認すると、ＲＦＩＤタグ１に付設されたスイッチ１３を押すと、ＲＦＩＤタグ１にて音声停止信号が発信されて音声出力装置の音声が停止し、かつその了解来歴を記録する。  
これにより、作業者は繰り返して放送される音声を停止して、静かに作業することができる。
【００２５】
なお、正規のタグを持たない作業員が接近した場合にも危険区域Ｄに配設されたコントローラ２との交信により設備ＩＤと個人ＩＤの認証ができないので、作業中止の音声が出力されるようになる。
また、正規のＲＦＩＤタグ１を携行する作業者Ｍであっても、この危険区域Ｄを一旦離れた後、再び接近する場合においても前記と同様の動作をして常に安全作業を行えるようになる。
【００２６】
また、作業が有資格者に制限される場合、例えば、クレーン運転作業の場合は、このクレーン運転作業箇所に、音声出力装置を付設したコントローラ２を設置し、作業者の携行するＲＦＩＤタグ１には、作業者Ｍの有資格を入力しておく。
このようにすることにより、作業者Ｍが装置設置箇所に接近すると、ＲＦＩＤタグ１、コントローラ２間にて通信して資格の有無を判断して無資格の場合は、音声出力装置より「作業資格がありません。直ちに作業を停止してください。」との音声を出力して作業を中止するようにすることができる。
この場合において、ＲＦＩＤタグ１を携行しない作業者や資格のない作業者がクレーンを運転使用としてもクレーンが動作しないようにすることができる。
【００２７】
以上、本発明の安全作業管理サポートシステムについて、実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の安全作業管理サポートシステムは、作業者に対して危険箇所での安全作業指示、無資格者の作業中止指示、作業者制約条件による作業中止指示等を与えて常に安全を意識して作業を行うよう作業者を喚起するという特性を有していることから、安全作業管理サポートシステムの用途に好適に用いることができるほか、例えば、生産工場などにおける作業の確認の用途にも用いることができる。
【図面の簡単な説明】
【００２９】
【図１】本発明の安全作業管理サポートシステムの一実施例を示す説明図である。
【図２】同安全作業管理サポートシステムのフロー図である。
【符号の説明】
【００３０】
１    ＲＦＩＤタグ
１１  受光フォトダイオード
１２  アンテナ
１３  スイッチ
２    コントローラ（ＣＴＬ）
２１  赤外線発光器
２２  アンテナ
Ｍ    作業者
Ｗ    作業場所
Ｄ    危険区域
【図１】
2006139380.tif 000003
【図２】
2006139380.tif 000004